(57)【要約】【課題】複数のＰＢＸシステムにおける内線通話のシステム間接続において、ＩＰゲートウェイを別途設けずにＩＰ接続を比較的安価に行なう。【解決手段】ＬＡＮ４を介して接続された複数のＰＢＸシステム１とその複数の電話機１１を備える。ＰＢＸシステム１は、ＣＰＵ１２、記憶装置１３、電話機Ｉ／Ｆ１４及びＬＡＮコントローラ１５を有する。ＣＰＵ１２は、Ｈ．３２３の呼制御プロトコルに従い自他ＰＢＸシステム１間でＬＡＮ４を介し複数の電話機１１に対する呼制御を実行し、ＴＣＰに従い自他ＰＢＸシステム１間でＴＣＰコネクションを確立し、電話機１１の発呼時にＨ．３２３呼制御により発呼させた後、別に確立されたＴＣＰコネクションにより所定システム情報を他ＰＢＸシステム１に送信し、電話機１１の着呼時にＨ．３２３呼制御により着呼させた後、別に確立されたＴＣＰコネクションにより所定システム情報を他ＰＢＸシステム１に送信する。【選択図】  図１
2004312440.tif 000002
【特許請求の範囲】
【請求項１】
ＩＰ（Ｉｎｔｅｒｎｅｔ  Ｐｒｏｔｏｃｏｌ）の通信プロトコルに従いＬＡＮ（Ｌｏｃａｌ  Ａｒｅａ  Ｎｅｔｗｏｒｋ）を介してデータを通信可能に接続された複数のＰＢＸ（Ｐｒｉｖａｔｅ  Ｂｒａｎｃｈ  ｅＸｃｈａｎｇｅ）システムと、該各ＰＢＸシステムに搭載された複数の電話機とを備え、
前記複数のＰＢＸシステムは、
前記ＬＡＮに接続されるＬＡＮコントローラと、
Ｈ．３２３の呼制御プロトコルに従い自他ＰＢＸシステム間で前記ＬＡＮを介し前記複数の電話機に対する呼制御を実行するＨ．３２３呼制御手段と、
ＴＣＰ（Ｔｒａｎｓｍｉｓｓｉｏｎ  Ｃｏｎｔｒｏｌ  Ｐｒｏｔｏｃｌ）の通信プロトコルに従い前記自他ＰＢＸシステム間で前記ＬＡＮを介しＴＣＰコネクションを確立するＴＣＰコネクション確立手段と、
前記自ＰＢＸシステムの電話機の発呼時に、前記Ｈ．３２３呼制御手段による呼制御により発呼させた後、前記ＴＣＰコネクション確立手段により確立されるＴＣＰコネクションにより所定のシステム情報を前記ＬＡＮコントローラから前記ＬＡＮを介して前記他ＰＢＸシステムに送信する発呼時送信手段と、
前記自ＰＢＸシステムの電話機の着呼時に、前記Ｈ．３２３呼制御手段による呼制御により着呼させた後、前記ＴＣＰコネクション確立手段により確立されるＴＣＰコネクションにより所定のシステム情報を前記ＬＡＮコントローラから前記ＬＡＮを介して前記他ＰＢＸシステムに送信する着呼時送信手段とを備えたことを特徴とするＩＰによるシステム間接続を行なう構内交換機システム。
【請求項２】
前記所定のシステム情報は、前記自ＰＢＸシステムの呼に直接関係ないシステム情報および前記他ＰＢＸシステムに通知する必要のある電話機状態の情報を含むことを特徴とする請求項１記載のＩＰによるシステム間接続を行なう構内交換機システム。
【請求項３】
前記発呼時送信手段は、前記自ＰＢＸシステムの電話機の発呼時に、ダイヤルされた内線番号が前記自ＰＢＸシステムの電話機のものか前記他ＰＢＸシステムの電話機のものかを判断する手段と、該内線番号が前記他ＰＢＸシステムの電話機のものであると判断されたとき、該内線番号に対応するＩＰアドレスを取得する手段と、該ＩＰアドレス宛に呼設定の接続要求メッセージを送る手段とを有することを特徴とする請求項１又は２記載のＩＰによるシステム間接続を行なう構内交換機システム。
【請求項４】
ＩＰ（Ｉｎｔｅｒｎｅｔ  Ｐｒｏｔｏｃｏｌ）の通信プロトコルに従いＬＡＮ（Ｌｏｃａｌ  Ａｒｅａ  Ｎｅｔｗｏｒｋ）を介してデータを通信可能に接続された複数のＰＢＸ（Ｐｒｉｖａｔｅ  Ｂｒａｎｃｈ  ｅＸｃｈａｎｇｅ）システムと、該各ＰＢＸシステムに搭載された複数の電話機とを用いたシステム情報伝達方法であって、
前記複数のＰＢＸが、
Ｈ．３２３の呼制御プロトコルに従い自他ＰＢＸシステム間で前記ＬＡＮを介し前記電話機に対する呼制御を実行するＨ．３２３呼制御ステップと、
ＴＣＰ（Ｔｒａｎｓｍｉｓｓｉｏｎ  Ｃｏｎｔｒｏｌ  Ｐｒｏｔｏｃｌ）の通信プロトコルに従い前記自他ＰＢＸシステム間で前記ＬＡＮを介しＴＣＰコネクションを確立するＴＣＰコネクション確立ステップと、
自ＰＢＸシステム内の電話機の発呼時に、前記Ｈ．３２３呼制御ステップによる呼制御により発呼させた後、前記ＴＣＰコネクション確立ステップにより確立されるＴＣＰコネクションにより所定のシステム情報を前記ＬＡＮを介して前記他ＰＢＸシステムに送信する発呼時送信ステップと、
前記自ＰＢＸシステム内の電話機の着呼時に、前記Ｈ．３２３呼制御ステップによる呼制御により着呼させた後、前記ＴＣＰコネクション確立ステップにより確立されるＴＣＰコネクションにより所定のシステム情報を前記ＬＡＮを介して前記他ＰＢＸシステムに送信する着呼時送信ステップとを備えたことを特徴とするシステム情報伝達方法。
【請求項５】
前記所定のシステム情報は、前記自ＰＢＸシステムの呼に直接関係ないシステム情報および前記他ＰＢＸシステムに通知する必要のある電話機状態の情報を含むことを特徴とする請求項４記載のシステム情報伝達方法。
【請求項６】
前記発呼時送信ステップは、前記自ＰＢＸシステムの電話機の発呼時に、ダイヤルされた内線番号が前記自ＰＢＸシステムの電話機のものか前記他ＰＢＸシステムの電話機のものかを判断するステップと、該内線番号が前記他ＰＢＸシステムの電話機のものであると判断されたとき、該内線番号に対応するＩＰアドレスを取得するステップと、該ＩＰアドレス宛に呼設定の接続要求メッセージを送るステップとを有することを特徴とする請求項４又は５記載のシステム情報伝達方法。
【発明の詳細な説明】
【０００１】
【発明の属する技術分野】
本発明は、ＩＰ（Ｉｎｔｅｒｎｅｔ  Ｐｒｏｔｏｃｏｌ）によるシステム間接続を行なう構内交換機（ＰＢＸ：Ｐｒｉｖａｔｅ  Ｂｒａｎｃｈ  ｅＸｃｈａｎｇｅ：）システム及びそのシステム情報伝達方法に関し、ＰＢＸシステム間をＬＡＮで接続し、ＩＰによるシステム間接続インターフェースにＨ．３２３プロトコルを使用したＰＢＸシステムに関する。
【０００２】
【従来の技術】
ＰＢＸは、会社、工場、官庁、学校などの構内に設置され、内線電話の交換および内線電話機と外部の一般電話機との交換接続を行なうシステムで、構内に限り内線着信その他自システムでのサービスを提供できるようになっている。
【０００３】
また、本社、支点、営業所などの複数拠点をもつ大規模企業などでは、各拠点毎にＰＢＸシステムが設置され、各ＰＢＸシステム間をＩＳＤＮ（Ｉｎｔｅｇｒａｔｅｄ  Ｓｅｒｖｉｃｅ  Ｉｎｆｏｒｍａｔｉｏｎ  Ｎｅｔｗｏｒｋ）網で接続し、自ＰＢＸシステムに繋がれた内線電話機から他ＰＢＸシステムに繋がれた内線電話機への内線通話をＩＳＤＮ網を介して行なっている。すなわち、このような複数のＰＢＸシステム間で内線通話を行なう場合のシステム間接続は、ＩＳＤＮインターフェースにより実現されてきた。
【０００４】
一般にＩＳＤＮの通信プロトコル群は、Ｉシリーズインターフェース（ＩＴＵ−Ｔ勧告）とも総称され、ユーザ情報チャネル（Ｂチャネル）と制御チャネル（Ｄチャネル）の２つに分けてそれぞれの通信形態に応じて、ＯＳＩ（Ｏｐｅｎ  Ｓｙｓｔｅｍ  Ｉｎｔｅｒｃｏｎｎｅｃｔｉｏｎ）参照モデルの物理層に対応する基本インターフェース／一次群インターフェース（ＩＳＤＮレイヤ１プロトコル）、データリンク層に対応するＸ．２５データリンク層（ＬＡＰＢ：Ｌｉｎｋ  Ａｃｃｅｓｓ  Ｐｒｏｃｅｄｕｒｅ  Ｂａｌａｎｃｅｄ）とＬＡＰＤ（Ｌｉｎｋ  Ａｃｃｅｓｓ  Ｐｒｏｃｅｄｕｒｅ  ｏｎ  ｔｈｅ  Ｄ−ｃｈａｎｎｅｌ）（ＩＳＤＮレイヤ２プロトコル）、ネットワーク層に対応するＸ．２５ネットワーク層と情報チャネル呼制御手順（ＩＳＤＮレイヤ３プロトコル）が規定されている。
【０００５】
一方、最近では、インターネットで使用されているＯＳＩ参照モデルのネットワーク層に対応するＩＰ（Ｉｎｔｅｒｎｅｔ  Ｐｒｏｔｏｃｏｌ）に基づくＩＰネットワーク（ＩＰ網）上で音声通話を行なうＩＰ電話が普及し、その品質向上やブロードバンド回線の低価格化などに伴って、内線電話料金の削減などを理由に大規模企業などでＩＰ電話ネットワークを構築する事例も多くなってきている（例えば、非特許文献１参照）。
【０００６】
こういったＩＰ電話ネットワークを、本社、営業所など複数拠点に配置された自他ＰＢＸシステム間の内線通話に適用する場合、一般電話機との外線通話は公衆網経由で行なうほか、他ＰＢＸシステムの内線電話機との内線通話はＩＰ網を介して行なう必要がある。すなわち、自他ＰＢＸシステム間でＩＰ接続を行なう必要があるので、各ＰＢＸシステム毎にＩＳＤＮとＩＰとを相互にプロトコル変換するＩＰゲートウェイが設置される。この場合、自ＰＢＸシステムによりＩＳＤＮのプロトコルに従い構成された内線電話機からの音声データは、ＩＰゲートウェイによるプロトコル変換によりＩＰパケットに変換され、そのＩＰヘッダの宛先ＩＰアドレスをもとに、ルータによるＩＰルーティングによりＩＰ網経由で他ＰＢＸシステム側のルータに送られ、ＩＰゲートウェイによりＩＰパケットからＩＳＤＮの音声データに戻され、他ＰＢＸシステムの内線電話機に送られる。これにより、自他ＰＢＸシステム間の内線通話が行なわれる。
【０００７】
【非特許文献１】
米田心文著、「ＩＰ電話でわかる最新ネットワーク技術」、株式会社翔泳社、２００３年２月、ｐ１９０
【０００８】
【発明が解決しようとする課題】
しかしながら、ＩＳＤＮインターフェースを用いたＰＢＸシステムでＩＰ接続を行なう場合に必要とされるＩＰゲートウェイは、接続するＰＢＸシステム１台に付き１つ必要になるためシステムが比較的高価なものなり、それに加え機器との互換性により異常動作となる機器が合ったりするため予期せぬ不具合を生むこともあった。
【０００９】
本発明は、このような従来の事情を考慮してなされたもので、複数のＰＢＸシステムにおける内線通話のシステム間接続において、ＩＰゲートウェイを別途設けずにＩＰ接続を比較的安価に行なえ、機器との互換性により異常動作が生じる事態を回避することを目的とする。
【００１０】
【課題を解決するための手段】
上記目的を達成するため、本発明は、ＩＰゲートウェイの機能をＰＢＸシステム内に内蔵し、ＰＢＸシステムをイーサネット（登録商標）等のＬＡＮに接続し、ルータを介してＩＰ網経由で自他ＰＢＸシステムでのシステム間接続を実現できる構成を提供するものである。
【００１１】
上記構成において、システム間接続用のインターフェースプロトコルとしてＨ．３２３（ＩＴＵ−Ｔ勧告）の通信プロトコルを使用し、接続されたシステム間において単体システムと同様の機能を実現し、システム内の種々の情報を、別に生成されるＯＳＩ参照モデルのトランスポート層に対応するＴＣＰ（Ｔｒａｎｓｍｉｓｓｉｏｎ  Ｃｏｎｔｒｏｌ  Ｐｒｏｔｏｃｌ）に従うＴＣＰコネクションにて、Ｈ．３２３とは別系統で通知することを特徴とする。
【００１２】
すなわち、自システムに実装できるＩＰインターフェースモジュールにてＩＳＤＮと同様のことができれば、ＩＰ接続のためにＩＰゲートウェイを別途設ける必要がなく、これに関する上記問題を解決できる。
【００１３】
ただし、ＩＳＤＮでは、呼に直接関係ない、各端末（内線電話機）の状態変化などのシステム情報などもＩＳＤＮの呼制御手順であるＱ．９３１（ＩＴＵ−Ｔ勧告）の通信プロトコルにて不定期に通知しているのに対し、Ｈ．３２３プロトコルでは、その規定上、それらのシステム情報を不定期に通知することが不可能である。
【００１４】
このため、本発明では、Ｈ．３２３プロトコルとは独自にＴＣＰコネクションを確立して、呼に直接関係ない各端末の状態変化などのシステム情報などを不定期に通知することに着目した。これにより、呼が生成されていない状態においても、端末の状態情報・各種設定の通知など、システム内部の情報を交換できる。
【００１５】
また、ＴＣＰコネクションでは、サーバとクライアントの両方の性質を持っているため、サーバとクライアントの別を気にすることなく双方向よりコネクション確立を要求することができる。これによれば、コネクションが確立していない状態からのメッセージ送信要求があれば、相手のポートに対してコネクション要求を出すことができ、自分のポートにコネクション要求があれば受け付けることを可能とする。すなわち、どのシステムでも、サーバとクライアントの性質を持っており、ＴＣＰコネクションであれば、２つのシステムの内、どちらか一方がサーバとなり、その他方がクライアントとなるが、両方の性質をもたせることにより、意識せずに接続することができる。
【００１６】
このようにして、ＩＰによるＰＢＸシステム間接続およびシステム情報の伝送が可能となる。
【００１７】
本発明は、このような着想をもとに完成されたものである。
【００１８】
すなわち、本発明に係るＩＰによるシステム間接続を行なう構内交換機システムは、ＩＰ（Ｉｎｔｅｒｎｅｔ  Ｐｒｏｔｏｃｏｌ）の通信プロトコルに従いＬＡＮ（Ｌｏｃａｌ  Ａｒｅａ  Ｎｅｔｗｏｒｋ）を介してデータを通信可能に接続された複数のＰＢＸ（Ｐｒｉｖａｔｅ  Ｂｒａｎｃｈ  ｅＸｃｈａｎｇｅ）システムと、該各ＰＢＸシステムに搭載された複数の電話機とを備える。
【００１９】
上記構成において、前記複数のＰＢＸシステムは、前記ＬＡＮに接続されるＬＡＮコントローラと、Ｈ．３２３の呼制御プロトコルに従い自他ＰＢＸシステム間で前記ＬＡＮを介し前記複数の電話機に対する呼制御を実行するＨ．３２３呼制御手段と、ＴＣＰ（Ｔｒａｎｓｍｉｓｓｉｏｎ  Ｃｏｎｔｒｏｌ  Ｐｒｏｔｏｃｌ）の通信プロトコルに従い前記自他ＰＢＸシステム間で前記ＬＡＮを介しＴＣＰコネクションを確立するＴＣＰコネクション確立手段と、前記自ＰＢＸシステムの電話機の発呼時に、前記Ｈ．３２３呼制御手段による呼制御により発呼させた後、前記ＴＣＰコネクション確立手段により確立されるＴＣＰコネクションにより所定のシステム情報を前記ＬＡＮコントローラから前記ＬＡＮを介して前記他ＰＢＸシステムに送信する発呼時送信手段と、前記自ＰＢＸシステムの電話機の着呼時に、前記Ｈ．３２３呼制御手段による呼制御により着呼させた後、前記ＴＣＰコネクション確立手段により確立されるＴＣＰコネクションにより所定のシステム情報を前記ＬＡＮコントローラから前記ＬＡＮを介して前記他ＰＢＸシステムに送信する着呼時送信手段とを備えたことを特徴とする。
【００２０】
前記所定のシステム情報は、前記自ＰＢＸシステムの呼に直接関係ないシステム情報および前記他ＰＢＸシステムに通知する必要のある電話機状態の情報を含むことが好適である。
【００２１】
前記発呼時送信手段は、前記自ＰＢＸシステムの電話機の発呼時に、ダイヤルされた内線番号が前記自ＰＢＸシステムの電話機のものか前記他ＰＢＸシステムの電話機のものかを判断する手段と、該内線番号が前記他ＰＢＸシステムの電話機のものであると判断されたとき、該内線番号に対応するＩＰアドレスを取得する手段と、該ＩＰアドレス宛に呼設定の接続要求メッセージを送る手段とを有してもよい。
【００２２】
また本発明に係るシステム情報伝達方法は、ＩＰ（Ｉｎｔｅｒｎｅｔ  Ｐｒｏｔｏｃｏｌ）の通信プロトコルに従いＬＡＮ（Ｌｏｃａｌ  Ａｒｅａ  Ｎｅｔｗｏｒｋ）を介してデータを通信可能に接続された複数のＰＢＸ（Ｐｒｉｖａｔｅ  Ｂｒａｎｃｈ  ｅＸｃｈａｎｇｅ）システムと、該各ＰＢＸシステムに搭載された複数の電話機とを用いたものである。
【００２３】
上記構成において、前記複数のＰＢＸが、Ｈ．３２３の呼制御プロトコルに従い自他ＰＢＸシステム間で前記ＬＡＮを介し前記電話機に対する呼制御を実行するＨ．３２３呼制御ステップと、ＴＣＰ（Ｔｒａｎｓｍｉｓｓｉｏｎ  Ｃｏｎｔｒｏｌ  Ｐｒｏｔｏｃｌ）の通信プロトコルに従い前記自他ＰＢＸシステム間で前記ＬＡＮを介しＴＣＰコネクションを確立するＴＣＰコネクション確立ステップと、自ＰＢＸシステム内の電話機の発呼時に、前記Ｈ．３２３呼制御ステップによる呼制御により発呼させた後、前記ＴＣＰコネクション確立ステップにより確立されるＴＣＰコネクションにより所定のシステム情報を前記ＬＡＮを介して前記他ＰＢＸシステムに送信する発呼時送信ステップと、前記自ＰＢＸシステム内の電話機の着呼時に、前記Ｈ．３２３呼制御ステップによる呼制御により着呼させた後、前記ＴＣＰコネクション確立ステップにより確立されるＴＣＰコネクションにより所定のシステム情報を前記ＬＡＮを介して前記他ＰＢＸシステムに送信する着呼時送信ステップとを備えたことを特徴とする。
【００２４】
好適には、前記所定のシステム情報は、前記自ＰＢＸシステムの呼に直接関係ないシステム情報および前記他ＰＢＸシステムに通知する必要のある電話機状態の情報を含む。
【００２５】
前記発呼時送信ステップは、前記自ＰＢＸシステムの電話機の発呼時に、ダイヤルされた内線番号が前記自ＰＢＸシステムの電話機のものか前記他ＰＢＸシステムの電話機のものかを判断するステップと、該内線番号が前記他ＰＢＸシステムの電話機のものであると判断されたとき、該内線番号に対応するＩＰアドレスを取得するステップと、該ＩＰアドレス宛に呼設定の接続要求メッセージを送るステップとを有してもよい。
【００２６】
【発明の実施の形態】
以下、本発明に係るＩＰによるシステム間接続を行なう構内交換機システム及びそのシステム情報伝達方法の実施の形態を図１〜図４を参照して説明する。
【００２７】
図１は、本実施形態のシステム構成例を示す。図１において、本実施形態は、例えば大企業の本社、支社、営業所、工場などの複数拠点に設置されるＰＢＸシステム１…１のシステム間接続に適用される。図１において、ＰＢＸシステム１は、自ＰＢＸシステム１に繋がれた複数の電話機（内線電話機）１１…１１間の内線通話その他のサービス提供や、各電話機１１…１１と外部の一般電話機（図示しない）との外線通話の交換接続などの既知ＰＢＸ機能に加え、ＯＳＩ参照モデルの物理層、データリンク層の通信プロトコルに基づくＬＡＮを成すイーサネット（登録商標）２に接続され、このイーサネット（登録商標）２を介し、あるいはこれに接続されたルータ３からＩＰ網（例えば、企業内ＩＰ網）としてのＩＰ−ＶＰＮ（Ｖｉｒｔｕａｌ  Ｐｒｉｖａｔｅ  Ｎｅｔｗｏｒｋ：仮想私設網）４経由で他のルータ３を介し、それぞれ接続されている他のＰＢＸシステム１、１との間で、内線通話が行なえる機能を搭載している。
【００２８】
上記機能を実現するため、ＰＢＸシステム１には、例えばバス上に接続された各部として、プログラム制御により動作するＣＰＵ１２と、このＣＰＵ１２が実行する通信プロトコル等の制御プログラム（後述参照）や制御データ等を格納するＲＯＭやＲＡＭ等の記憶装置１３と、各電話機１１…１１に接続される電話機Ｉ／Ｆ（インターフェース）１４と、イーサネット（登録商標）２の通信制御を担うイーサーコントローラ（ＬＡＮコントローラ）１５とが内蔵される。この構成で、ＰＢＸシステム１から各種情報を伝送するときには、ＣＰＵ１２の制御のもとで記憶装置１１０よりデータを読み出し、イーサーコントローラ１２０によりイーサネット（登録商標）２に対して伝送される。
【００２９】
ＣＰＵ１２が実行する制御プログラム２１には、図２に示すように、呼制御部（呼制御プログラム）２２として、ステーションインターフェース、トランクインターフェース、及びシステム間インターフェースが含まれる。このうち、ＩＰによるシステム間接続を担うシステム間インターフェースには、従来既知のＩＳＤＮインターフェースに加え、本実施形態ではＯＳＩ参照モデルのネットワーク層に対応するＩＰと、このＩＰ上のトランスポート層以上の上位層に対応するＨ．３２３の通信プロトコルが実装される。
【００３０】
このうち、Ｈ．３２３の通信プロトコルは、ＩＴＵ−Ｔ勧告により標準化されたものであり、端末同士の呼制御や、音声・映像の符号化方法、データの送受信方法等を個別に規定した複数のプロトコルから構成される。
【００３１】
例えば、Ｈ．３２３で規定されている呼制御プロトコルには、トランスポート層のＴＣＰコネクション下で動作するＯＳＩ参照モデルのセッション層、プレゼンテーション層に対応するＨ．２２５．０（ＩＴＵ−Ｔ勧告）、Ｈ．２４５（ＩＴＵ−Ｔ勧告）のプロトコルが含まれる。例えば、Ｈ．２２５．０では、自電話機から相手電話機と繋がるまでの間の呼制御手順（例えば、内線番号ダイヤル、内線番号からＩＰアドレス取得、そのＩＰアドレス宛への呼設定開始の接続要求メッセージ（「Ｓｅｔｕｐ」）送信やその応答により相手側から送られてくる接続許可メッセージ（「Ｃｏｎｎｅｃｔ」）受信等）が、またＨ．２４５では、音声・映像の符号化方式や制御権をどちらの端末が採るかといったネゴシエーション（交渉）の手順等がそれぞれ規定されている。いずれのプロトコルも、トランスポート層のプロトコルとしてＴＣＰが使用される。
【００３２】
ＴＣＰは、コネクション型の通信プロトコルで、パケットを送信後に受け取り確認を待ち、その確認が届いた時点で次のパケットを送信するもので、全てのパケットを誤りなく相手側に送り届けるため、例えば通信途中で誤りが生じた場合の誤りの検出方法、その誤りの訂正手順、パケットの抜けをチェックする方法、受け取ったパケットを元にデータに組み立てる手順などを規定している。
【００３３】
また、Ｈ．３２３で規定されている音声符号化方式には、ＰＣＭ（Ｐｕｌｓｅ  Ｃｏｄｅ  Ｍｏｄｕｌａｔｉｏｎ）方式のＧ．７１１（ＩＴＵ−Ｔ勧告）や、ＣＥＬＰ（Ｃｏｄｅ−Ｅｘｃｉｔｅｄ  Ｌｉｎｅａｒ  Ｐｒｅｄｉｃｔｉｏｎ）方式のＧ．７２９（ＩＴＵ−Ｔ勧告）などのプロトコルが規定されている。いずれのプロトコルも、トランスポート層のプロトコルとしてＴＣＰではなくＵＤＰ（Ｕｓｅｒ  Ｄａｔａｇｒａｍ  Ｐｒｏｔｏｃｏｌ）が使用され、セッション層のプロトコルとしてＲＴＰ（Ｒｅａｌ−Ｔｉｍｅ  Ｔｒａｎｓｐｏｒｔ  Ｐｒｏｔｏｃｏｌ）が使用される。
【００３４】
ＵＤＰは、コネクションレス型の通信プロトコルで、一方的にデータを送信し、ＴＣＰとは異なり誤り制御やエラー制御の再送処理は行われない分、通信速度が速くなっている。ＲＴＰは、音声や動画などのリアルタイムデータを送るためのプロトコルで、パケットにタイムスタンプを付けてデータの順番を制御して、送信した順番どおりに同期して再生したり、遅延の大きい廃棄する機能を有する。
【００３５】
次に、図２及び図３の制御フローチャートを参照して、本実施形態の全体の動作について詳細に説明する。図２及び図３に示す制御フローチャートの各ステップの処理は、ＣＰＵ１２が記憶装置１３に格納されている制御プログラム２１の呼制御部２２を実行することにより行なわれる。
【００３６】
まず、図３に示すように、送信側では、自ＰＢＸシステム１の電話機１１により自他ＰＢＸシステム１の電話機１１の内線番号がダイヤルされると（ステップＳ１）、自ＰＢＸシステム１のＣＰＵ１２は、そのダイヤルされた内線番号を電話機Ｉ／Ｆ１４を介し入力し、その内線番号が他ＰＢＸシステム１の電話機１１のものか自ＰＢＸシステム１の電話機１１のものか、いずれかを判断する（ステップＳ２）。この判断は、例えば記憶装置１３に更新可能に格納されているＰＢＸシステムの識別番号と内線番号との対応テーブルをもとに行なわれる。
【００３７】
上記ステップＳ２の処理の結果、ダイヤルされた内線番号が他ＰＢＸシステム１の電話機１１のものであると判断された場合には、自ＰＢＸシステム１のＣＰＵ１２は、その内線番号をもとに相手側のＩＰアドレスを取得する（ステップＳ３）。このＩＰアドレス取得は、例えば記憶装置１３に更新可能に格納されている内線番号とＩＰアドレスの対応テーブルをもとに行なわれる。その後、Ｈ．３２３プロトコルによる呼制御手順に従い、取得されたＩＰアドレス宛に呼設定の接続要求メッセージである「Ｓｅｔｕｐ」のＩＰパケットをイーサーコントローラ１５を介しイーサネット（登録商標）２上に送出する（ステップＳ４）。
【００３８】
これにより、上記「Ｓｅｔｕｐ」メッセージのＩＰパケットは、ルータ３によるＩＰルーティングによりＩＰ−ＶＰＮ４を介し他のルータ３に送られ、他ＰＢＸシステム１に届く。そして、相手先の電話機１１は接続に問題がなければ接続許可メッセージの「Ｃｏｎｎｅｃｔ」のＩＰパケットを送出し、呼び出し音により着信が行なわれる。これにより、自他ＰＢＸシステム１、１の電話機１１、１１間で呼設定が行なわれると、以後、Ｈ．３２３プロトコルに従い、上記ネゴシエーションにより決められた音声符号化方式により電話機１１からのアナログ音声信号がデジタル信号に音声データに符号化され、ＵＤＰ、ＲＴＰのプロトコルに従い、そのヘッダ部にＲＴＰヘッダ、ＵＤＰヘッダ、ＩＰヘッダが付されたＩＰパケットがイーサーコントローラ１５を介しイーサネット（登録商標）２上に送出される。このようにして、音声データの送受信が行なわれ、自ＰＢＸシステム１の電話機１１と他ＰＢＸシステム１の電話機１１間でＩＰ接続による内線通話が行なわれる。
【００３９】
一方、上記ステップＳ２の処理の結果、ダイヤルされた内線番号が自ＰＢＸシステム１の電話機１１のものであると判断された場合には、内線着信その他自システムでのサービスを実行する（ステップＳ５）。ここで提供される自システムでのサービスの一例としては、例えば、内外線発着信、キャンプオン、ページング、会議通話、パーク保留、端末状態表示、話中呼出、通話割り込み、着信転送等の既知ＰＢＸ機能によるサービスが例示できる。これにより、自ＰＢＸシステム１内の電話機１１、１１間で内線通話等が行なわれる。
【００４０】
その後、ＣＰＵ１２は、記憶装置１３に格納されてういる制御プログラム２１を実行することにより、ＴＣＰにて別にコネクションを確立し（ステップＳ６）、相手に通知する必要のある端末（電話機１１）状態やシステムの情報を通知する（ステップＳ７）。呼に直接関係ない情報も、このＴＣＰコネクションを通じて相手側のＰＢＸシステム１に対して通知される。
【００４１】
ここで別に確立されたＴＣＰコネクションにより伝送される端末（電話機）１１）の状態変化の通知としては、例えば、「アイドル」「話中」「転送設定・ＤＮＤ設定中」等が例示できる。これを含め、その他パーク保留情報の通知等、Ｈ．３２３では伝送が難しい情報も、ここで別に確立されたＴＣＰコネクションにより伝送される。
【００４２】
上記に対し、図４に示すように、着信側では、ＣＰＵ１２は、記憶装置１３に格納されている制御プログラム２１を実行することにより、Ｈ．３２３プロトコルに従い着呼を検出すると（ステップＳ１１）、上記と同様の内線着信その他自ＰＢＸシステム１でのサービスを実行する（ステップＳ１２）。これにより、自ＰＢＸシステム１の電話機１１と他ＰＢＸシステム１の電話機１１間で、ＩＰ接続による内線通話、あるいは自ＰＢＸシステム１内の電話機１１間で内線通話が行なわれる。
【００４３】
その後、ＣＰＵ１２は、ＴＣＰコネクションを別に確立させ、このＴＣＰコネクションにより着信側のシステム情報を送出する（ステップＳ１３）。このシステム情報にも、上記と同様、すなわち自ＰＢＸシステム１の呼に直接関係ない情報、相手に通知する必要のある端末状態（「アイドル」「話中」「転送設定・ＤＮＤ設定中」等）、その他パーク保留情報の通知等、Ｈ．３２３では伝送が難しい情報が含まれる。
【００４４】
従って、本実施形態によれば、インターフェースプロトコルとしてＨ．３２３プロトコルを使用し、接続されたシステム間において、単体システムと同様の機能を実現できる。また、システム内の種々の情報は、別に生成されるＴＣＰコネクションにて、Ｈ．３２３とは別系統で通知することが可能で、呼が生成されていない状態においても端末の状態情報・各種設定の通知など、システム内部の情報を交換することができる。また、ＴＣＰコネクションにおいては、サーバとクライアントの両方の性質を持っているため、サーバ・クライアントを気にすることなく双方向よりコネクション確立を要求することができる。これは、コネクションが確立していない状態からのメッセージ送信要求があれば、相手のポートに対してコネクション要求することができ、自分のポートにコネクション要求があれば受け付けることを可能とする。このようにして、ＩＰによるＰＢＸシステム間接続およびシステム情報の伝送が可能となる。
【００４５】
なお、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更、変形例も本発明の権利範囲に属するものである。
【００４６】
【発明の効果】
以上説明したように、本発明によれば、複数のＰＢＸシステムにおける内線通話のシステム間接続において、ＩＰゲートウェイを別途設けずにＩＰ接続を比較的安価に行なえ、機器との互換性により異常動作が生じる事態を回避することができるＩＰによるシステム間接続を行なう構内交換機システム及びそのシステム情報伝達方法を提供できる。
【図面の簡単な説明】
【図１】本発明に係るＩＰによるシステム間接続を行なう構内交換機システムの全体構成を示す概略ブロック図。
【図２】制御プログラムの構成を示す図。
【図３】送信時の制御手順を示すフローチャート。
【図４】着信時の制御手順を示すフローチャート。
【符号の説明】
１  ＰＢＸ（構内交換機）システム
２  イーサネット（登録商標）（ＬＡＮ）
３  ルータ
４  ＩＰ−ＶＰＮ（ＩＰ網）
１１  電話機（内線電話機）
１２  ＣＰＵ
１３  記憶装置
１４  電話機Ｉ／Ｆ（インターフェース）
１５  イーサーコントローラ（ＬＡＮコントローラ）
２１  制御プログラム
２２  呼制御部
【図１】
2004312440.tif 000003
【図２】
2004312440.tif 000004
【図３】
2004312440.tif 000005
【図４】
2004312440.tif 000006